(57)【要約】【課題】硬貨受け取り器の検出装置の提供。【解決手段】面板内側に受け取り器が設けられ、硬貨が面板投入口より投入された後に、硬貨が受け取り器の硬貨チャネルより滑り込み、軌道の二側のセンサの渦形コイルを具えたプリント基板が通過する硬貨に対して磁場を発生し、硬貨表面に導磁計数の多寡により異なる程度の渦電流を形成させ、渦形コイルレイアウトを具えたプリント基板が感応するインダクタンスをＣＰＵに送り、ＣＰＵの内部の設定値と比較させ、投入された硬貨の真偽と金額を判断し、上述の渦形コイルレイアウトを具えたプリント基板の設置により、硬貨金額判断の安定性を増加しハードウエアの設置空間を減少し、並びに硬貨の認識率を高め、空間を減少し、且つ損壊しにくくする目的を達成する。【選択図】        図２
2004227133.tif 000002
【特許請求の範囲】
【請求項１】
面板と面板後方の受け取り器を具え、該面板の硬貨投入口が該受け取り器の軌道に連通し、該軌道に感応装置の振動回路が設けられ、この振動回路が硬貨に対してインダクタンス検出を行い、並びに検出したインダクタンス値を周波数切り換え回路内のＣＰＵの設定値と対比し、これにより投入された硬貨の真偽と硬貨金額を判断する硬貨受け取り器の検出装置において、該振動回路中に渦形コイルをレイアウトしたプリント基板が設けられ、該プリント基板が受け取り器の軌道の二側壁面に位置し、且つ二つのプリント基板の渦形コイルが相互に対応するよう設置されたことを特徴とする、硬貨受け取り器の検出装置。
【請求項２】
請求項１に記載の硬貨受け取り器の検出装置において、渦形コイルが方形に巻かれた状態を呈することを特徴とする、硬貨受け取り器の検出装置。
【請求項３】
請求項１に記載の硬貨受け取り器の検出装置において、渦形コイルが円形に巻かれた状態を呈することを特徴とする、硬貨受け取り器の検出装置。
【請求項４】
請求項１に記載の硬貨受け取り器の検出装置において、振動回路が渦形コイル、ロジックゲート及び分圧抵抗で組成されたことを特徴とする、硬貨受け取り器の検出装置。
【請求項５】
請求項１に記載の硬貨受け取り器の検出装置において、周波数切り換え回路がアナログマルチプレクサと該アナログマルチプレクサに連接された複数のコンデンサ及び抵抗で組成されたことを特徴とする、硬貨受け取り器の検出装置。
【請求項６】
請求項５に記載の硬貨受け取り器の検出装置において、周波数切り換え回路中のアナログマルチプレクサの複数の抵抗が制御ポートを形成し、この制御ポートがＣＰＵに連接されたことを特徴とする、硬貨受け取り器の検出装置。
【請求項７】
請求項１に記載の硬貨受け取り器の検出装置において、プリント基板の渦形コイルの表面に樹脂膜が形成されたことを特徴とする、硬貨受け取り器の検出装置。
【請求項８】
請求項７に記載の硬貨受け取り器の検出装置において、樹脂膜がポリカーボネートで形成されたことを特徴とする、硬貨受け取り器の検出装置。
【発明の詳細な説明】
【０００１】
【発明の属する技術分野】
本発明は一種の硬貨受け取り器の検出装置に係り、面板内側の受け取り器中に渦形コイルレイアウトを具えたプリント基板が設けられて、投入された硬貨のインダクタンスを検出し、硬貨の識別率を高め、設置空間を減少し、損壊しにくい目的を達成する硬貨受け取り機の検出装置に関する。
【０００２】
【従来の技術】
現在の自動販売機、業務用の電動おもちゃ、ゲーム機にはいずれも投入された硬貨に対してその価値と真偽を判断する硬貨受け取り器が設けられている。硬貨受け取り器が硬貨の価値及び真偽を判断する時の正確性は明らかに業者の生計及び消費者の権益にかかわり、並びに社会の金融秩序に関係する。現在、業者のほとんどは壺形鉄心コイルを金属硬貨の感磁素子とし、金属材料が強磁体（鉄、銅、ニッケル等）と弱磁体（アルミニウム、鉛等）に分かれることから、コイル導通により振動周波数を発生させ、各種金属材料で製造された硬貨と感応する磁場を形成させ、硬貨材料の導磁計数の多寡により磁場の発生する渦電流に変化を発生させ、これにより一定の振動周波数下で異なる金属材料の硬貨がコイルを通過する時に、そのインダクタンスに異なる程度の変化を発生させる。一般に壺形鉄心コイル特性中のインダクタンス誤差は約５〜１０％であり、且つ壺形鉄心コイルは破裂や温度変化によるインダクタンスの誤差を発生しやすい。ゆえにいかに壺形鉄心コイルの不足と欠点を解決するかが、改善の鍵となる。硬貨識別時の正確性と安定性を高めて偽硬貨が通過できないようにすることは、業者の生計と消費者の権益の保障につながる。さらに、一般に壺形鉄心コイルは体積が比較的大きく平坦度が不良である欠点を有し、もし同時にこの部品形状の問題を解決できれば、有効に伝統的な技術上の欠点を解決できる。
【０００３】
【発明が解決しようとする課題】
本発明の主要な目的は、面板の貨幣投入口の後方を受け取り器の軌道に連通させ、軌道部分に感応装置を具えた振動回路を設け、且つ振動回路中に設けた受け取り器を具えたプリント基板を、受け取り器の軌道の二側に配置し、且つ二つのプリント基板上の受け取り器を相互に対応するよう設置し、二つのプリント基板上の渦形コイルの硬貨に対するインダクタンス検出、並びに検出後のインダクタンスとＣＰＵ内の設定値との対比を透過し、投入された硬貨の真偽と硬貨金額の大きさの判断を行うようにすることにある。
【０００４】
【課題を解決するための手段】
請求項１の発明は、面板と面板後方の受け取り器を具え、該面板の硬貨投入口が該受け取り器の軌道に連通し、該軌道に感応装置の振動回路が設けられ、この振動回路が硬貨に対してインダクタンス検出を行い、並びに検出したインダクタンス値を周波数切り換え回路内のＣＰＵの設定値と対比し、これにより投入された硬貨の真偽と硬貨金額を判断する硬貨受け取り器の検出装置において、該振動回路中に渦形コイルをレイアウトしたプリント基板が設けられ、該プリント基板が受け取り器の軌道の二側壁面に位置し、且つ二つのプリント基板の渦形コイルが相互に対応するよう設置されたことを特徴とする、硬貨受け取り器の検出装置としている。
請求項２の発明は、請求項１に記載の硬貨受け取り器の検出装置において、渦形コイルが方形に巻かれた状態を呈することを特徴とする、硬貨受け取り器の検出装置としている。
請求項３の発明は、請求項１に記載の硬貨受け取り器の検出装置において、渦形コイルが円形に巻かれた状態を呈することを特徴とする、硬貨受け取り器の検出装置としている。
請求項４の発明は、請求項１に記載の硬貨受け取り器の検出装置において、振動回路が渦形コイル、ロジックゲート及び分圧抵抗で組成されたことを特徴とする、硬貨受け取り器の検出装置としている。
請求項５の発明は、請求項１に記載の硬貨受け取り器の検出装置において、周波数切り換え回路がアナログマルチプレクサと該アナログマルチプレクサに連接された複数のコンデンサ及び抵抗で組成されたことを特徴とする、硬貨受け取り器の検出装置としている。
請求項６の発明は、請求項５に記載の硬貨受け取り器の検出装置において、周波数切り換え回路中のアナログマルチプレクサの複数の抵抗が制御ポートを形成し、この制御ポートがＣＰＵに連接されたことを特徴とする、硬貨受け取り器の検出装置としている。
請求項７の発明は、請求項１に記載の硬貨受け取り器の検出装置において、プリント基板の渦形コイルの表面に樹脂膜が形成されたことを特徴とする、硬貨受け取り器の検出装置としている。
請求項８の発明は、請求項７に記載の硬貨受け取り器の検出装置において、樹脂膜がポリカーボネートで形成されたことを特徴とする、硬貨受け取り器の検出装置としている。
【０００５】
【発明の実施の形態】
図１、２、３、５、６は、本発明の実施例の立体図、使用時の側面図、プリント基板の実施例の立体図及び実施例の二つの電気回路図である。本発明によると、面板１と面板１後方の受け取り器２が設けられ、且つ面板１の硬貨投入口１１が受け取り器２の硬貨チャネル２１と軌道２１１に連通し、並びに軌道２１１部分に感応装置２４の振動回路２４１が設けられ、且つこの振動回路２４１中に表面に渦形コイル２４１１がレイアウトされたプリント基板２４２が設けられて、軌道２１１に進入する硬貨に対するインダクタンス検出を行い、並びに検出後のインダクタンスを周波数切り換え回路２４３の制御ポート２４３４に連接されたＣＰＵ２４４内の設定値と対比し、これにより投入された硬貨の真偽及び硬貨金額の大きさの判断を行い、投入された硬貨のインダクタンスとアナログマルチプレクサ２４３１の切り換え後の振動周波数をＣＰＵ２４４内に保存された設定値と対比し、本物と判断された時、その硬貨を軌道２１１より硬貨出口２２を介して硬貨収集容器（図示せず）中に落とし、投入した硬貨とＣＰＵ２４４の設定値の対比の結果、偽物と判断されるか或いは硬貨が軌道２１１に引っかかる状況が発生した時、操作者が硬貨戻しボタン１３を押すことにより、軌道２１１に沿って硬貨戻しチャネル３４を通り面板１の偽硬貨出口１２部分より硬貨が退出する。
【０００６】
さらに上述の振動回路２４１中の渦形コイル２４１１を具えたプリント基板２４２は受け取り器２の軌道２１１の二側壁面に位置決めされ、且つ二つのプリント基板２４２上の渦形コイル２４１１が相互に対応するよう設けられ、これにより軌道２１１を通過する検出待機の硬貨の発生する間隙が最小とされ、二側壁面の渦形コイル２４１１が硬貨に対して検出を行う時の周波数変化が更に安定させられ確実とされる。
【０００７】
図３、４に示されるのは、本発明のプリント基板の実施例の立体図及びプリント基板のもう一つの実施例の立体表示図である。そのうち、プリント基板２４２にレイアウトされた渦形コイル２４１１は方形或いは円形等の巻いた形状に設置され、且つプリント基板２４２の渦形コイル２４１１がレイアウトされた表面に樹脂膜２４２１が設けられ、この樹脂膜２４２１が硬貨の直接プリント基板２４２表面の渦形コイル２４１１との摩擦を防止するために用いられ、該樹脂膜２４２１はポリカーボネートで形成される。
【０００８】
図５、６に示されるように、本発明の感応装置２４の振動回路２４１は渦形コイル２４１１、分圧抵抗２４１３及びロジックゲート２４１２を具え、周波数切り換え回路２４３はアナログマルチプレクサ２４３１及び該アナログマルチプレクサ２４３１に連接された複数のコンデンサ２４３２及び抵抗２４３３で組成され、且つ複数の抵抗２４３３部分に制御ポート２４３４が形成され、この制御ポート２４３４がＣＰＵ２４４のピンに連接され、複数の抵抗２４３３の実際の数値がアレンジされた後、多種類の異なる数値の振動周波数を形成可能で、ＣＰＵ２４４が読み取り内部の設定値となす。
【０００９】
図２、３、５、６、７に示されるように、本発明が硬貨投入後に硬貨金額と真偽の判断を実行する時は、以下のステップにより処理を行う。
（３０１）起動
（３０２）待機モードに進入
（３０３）振動回路２４１が硬貨通過がない時、その周波数切り換え回路２４３中のアナログマルチプレクサ２４３１を渦形コイル２４１１の振動周波数を切り換えた後、さらに信号をＣＰＵ２４４に送り保存し、続いてステップ（３０２）を重複実行し、硬貨が通過する時、渦形コイル２４１１が硬貨の振動周波数を検出後、続いてステップ３０４を実行する。
（３０４）検出した硬貨の振動周波数とＣＰＵ２４４内に設定された各種金属材料の周波数の記録とを対比し、これにより投入された硬貨が本物か偽物かを判断し、もし本物であれば、続いてステップ（３０５）を実行し、偽物であればステップ（３０６）を実行する。
（３０５）本物硬貨出口を開き、本物硬貨を受け取り、並びに続いてステップ（３０２）を実行する。
（３０６）偽者硬貨を硬貨出口２２より退出させる。
【００１０】
【発明の効果】
本発明の長所は以下のとおりである。
１．安定性が高い：  本発明の渦形コイルを具えたプリント基板は受け取り器軌道の二側壁面に位置し、渦形コイルと測定待機硬貨の間隙を最小とできるだけでなく、軌道を透過して二側壁の渦形コイルが検出を行い、その感応する周波数変化が更に安定し、確実とされる。
２．取り付けが容易である：  本発明の渦形コイルを具えたプリント基板は受け取り器の軌道の二側壁面に位置し、そのプリント基板の厚さは極めて薄く、強靱で、破裂しにくく、且つメインテナンスを行う必要がない。
３．正確性が高い：  本発明の二つのプリント基板の渦形コイルの感応するインダクタンスの誤差は約０．１％であり、従来の壺形鉄心コイルよりも正確性が高い。
【００１１】
ゆえに、本発明は面板内側の受け取り器中に渦形コイルレイアウトを具えたプリント基板が設けられたことを特徴とし、各実施例中に提示される構造或いは回路は、本発明の理解のために提供されたものであり、本発明の実施範囲を限定するものではなく、本発明に基づきなしうる細部の修飾或いは改変は、いずれも本発明の請求範囲に属するものとする。
【図面の簡単な説明】
【図１】本発明の実施例の立体図である。
【図２】本発明の実施例の使用時の側面図である。
【図３】本発明のプリント基板実施例の立体図である。
【図４】本発明のプリント基板のもう一つの実施例の立体図である。
【図５】本発明の実施例の回路図である。
【図６】本発明の実施例の回路図である。
【図７】本発明の実施例の動作フローチャートである。
【符号の説明】
１  面板
１１  硬貨投入口              １３  硬貨戻しボタン
１２  偽硬貨出口
２  受け取り器
２１  硬貨チャネル            ２４２  プリント基板
２１１  軌道                  ２４２１  樹脂膜
２２  本物硬貨出口            ２４３  周波数切り換え回路
２４  感応装置                ２４３１  アナログマルチプレクサ
２４１  振動回路              ２４３３  抵抗
２４１１  渦形コイル          ２４３４  制御ポート
２４１２  ロジックゲート      ２４４  ＣＰＵ
２４１３  分圧抵抗
【図１】
2004227133.tif 000003
【図２】
2004227133.tif 000004
【図３】
2004227133.tif 000005
【図４】
2004227133.tif 000006
【図５】
2004227133.tif 000007
【図６】
2004227133.tif 000008
【図７】
2004227133.tif 000009